(57)【要約】      （修正有）【課題】極めて容易に結束することができ、また一手順の操作によって極めて容易にかつ迅速に結束を解除することができる結束具及びこれによる仮結束方法を提供する。【解決手段】二つ折れ部１１を有して二重に伸びた伸縮紐からなる結束紐１と、片側半部に設けた留め口２１に挿入することで前記結束紐１の両端部を係留する係留体２と、係留体２の留め口２１と反対側の半部から突出して設けられた一又は複数本の解除紐３とからなる。対象物を結束した結束状態において、結束紐１は、対象物Ｏを一周又は複数周巻回した後、二つ折れ部１１によって係留体２を囲い、結束紐１１の留め口２１からの突出部を緊締すると共に、この二つ折れ部１１の片側部分である押さえ紐１１ｐによって、対象物Ｏとの間に解除紐３を挟み込んでなる。【選択図】図４
2010094244.tif 000002
【特許請求の範囲】
【請求項１】
二つ折れ部１１を有して二重に伸びた伸縮紐からなる結束紐１と、片側半部に設けた留め口２１に挿入することで前記結束紐１の両端部を係留する係留体２と、係留体２の留め口２１と反対側の半部から突出して設けられた一又は複数本の操作紐３とからなることを特徴とする結束具。
【請求項２】
係留体２は、片側の留め口２１から繋がって反対側の半部の排出口２３までを貫通する係留孔２ｈを有してなり、結束紐１はその両端部が係留孔２ｈ内を貫通するとともにそれぞれの先端から操作紐３が繋がってなる請求項１記載の結束具。
【請求項３】
対象物を結束した結束状態において、結束紐１は、対象物Ｏを一周又は複数周巻回した後、二つ折れ部１１によって係留体２を囲い、結束紐１１の留め口２１からの突出部を緊締すると共に、この二つ折れ部１１の片側部分である押さえ紐１１ｐによって、対象物Ｏとの間に操作紐３を挟み込んでなる請求項１又は２記載の結束具。
【請求項４】
結束紐１は伸長方向及び断面方向に伸縮性を有し、係留孔２ｈ内の部分の紐径１ｄが、引っ張り乃至引っ張り解除によって、係留孔２ｈの孔径２ｄの半分未満乃至孔径２ｄ以上に伸縮可変する請求項２又は３記載の結束具。
【請求項５】
請求項１ないし４のいずれか記載の結束具を用いて対象物Ｏを仮結束する仮結束方法であって、
二重にした結束紐１を伸長させ、対象物Ｏに一周又は複数周だけ巻回させる巻回ステップと、
巻回ステップ後の二つ折れ部１１によって係留体２を囲い、結束紐１１の留め口２１からの突出部を二つ折れ部１１によって緊締させる緊締ステップと、
操作紐３を、前記二つ折れ部１１の片側部分である押さえ紐１１ｐによって、対象物Ｏとの間に挟み込む挟み込みステップとを順に有する結束具の仮結束方法。
【発明の詳細な説明】
【技術分野】
【０００１】
本発明は、紐群や頭髪を纏めて、或いは蓋付きの収容体を囲って仮結束する結束具及びこれによる仮結束方法に関する。
【背景技術】
【０００２】
従来、頭髪結束具として、一対の係止体が伸縮自在な２本の線状体により各々連結されてなるものが開示される（例えば、特許文献１参照）。これは各線状体の両端側が、少なくとも一方の線状体の端部を係止体から外方突出するように各々係止体に挿通して固定され、その外方突出した線状体の端部が、係止体の模様形状の一部を形成する装飾片とされる。
【０００３】
また従来のレース付き被覆ゴムフラワー装身具として、適当な長さに切断された被覆ゴム紐の両端をあわせ、玉結びを数回繰り返すことで、玉結びの塊状部に被覆ゴム紐の輪状部を係留するものが開示される（例えば、特許文献２参照）。
【０００４】
【特許文献１】実開昭６０−１８７０５号公報
【特許文献２】実公平７−３０６５０号公報
【発明の開示】
【発明が解決しようとする課題】
【０００５】
しかしながら上記頭髪結束具は、結束時には両端一対の係止体の一方を、他方の係止体の連結部付近における２本の線状体間にくぐらせ、両端一対の係止体同士を近接させることで結束するものであり、係止体の先から外方突出した両端側の線状体端部は結束部に用いられることは無く、また解除時には２本の線状体間にくぐらせた一方の係止体を逆方向にくぐらせ直す必要がある。
【０００６】
また上記被覆ゴムフラワー装身具は、結束時には玉結びの塊状部を被覆ゴム紐の輪状部間に係留するものであり、解除時には前記係留させた玉結びの塊状部から、輪状部を結束方向へ引っ張って係留解除させる必要がある。
【０００７】
これらはくぐらせるなどの手間がかかるため結束状態にすることが容易ではなく、また解除時に結束紐を持ったり結束方向へ引っ張ったりする必要があるため、結束の張力がかかった状態では容易に或いは迅速に結束解除しうるものではなかった。
【０００８】
上記の問題を解決すべく、本発明は、極めて容易に結束することができ、また一手順の操作によって極めて容易にかつ迅速に結束を解除することができる結束具及びこれによる仮結束方法を提供することを課題とする。
【課題を解決するための手段】
【０００９】
上記課題を解決すべく下記（１）〜（５）の手段を講じている。
（１）本発明の結束具は、二つ折れ部１１を有して二重に伸びた伸縮紐からなる結束紐１と、片側半部に設けた留め口２１に挿入することで前記結束紐１の両端部を係留する係留体２と、係留体２の留め口２１と反対側の半部から突出して設けられた一又は複数本の解除紐３とからなることを特徴とする。
【００１０】
結束時には、上記の解除紐３が二つ折れ部の１１の下に入って結束の対象物Ｏとの間に挟まれる。そして二つ折れ部１１が解除紐３を挟んだまま、係留体２の留め口２１付近を囲うことで、係留体２を係留した状態となる。これにより、解除紐３を引き上げるだけで二つ折れ部１１が持ちあがり、係留体２の下方の留め口２１付近から上方へ滑って動き、下半分より上方まで二つ折れ部１１が持ち上がった自転で結束紐１の伸縮により瞬間的に結束が解除される。
【００１１】
なお上記構成では、結束紐１と解除紐３とは必ずしも繋がっている必要は無く、係留体２のそれぞれ片側半部及び反対側の半部に別体としてそれぞれ接着形成されたものでも良い。この場合、特に解除紐３を、結束紐１とは異なる扁平断面としたり、段状の連続突起を表面に形成したり、あるいは先端に保持片を取り付けたりすることで、より容易な解除操作を達成しうる、或いは解除を必要としない結束状態を保持しうるものとなる。また解除紐３の本数は１本のみ、或いは３本以上でもよい。
【００１２】
（２）前記結束具において、係留体２は、片側の留め口２１から繋がって反対側の半部の排出口２３までを貫通する係留孔２ｈを有してなり、結束紐１はその両端部が係留孔２ｈ内を貫通するとともにそれぞれの先端から解除紐３が繋がってなることが好ましい。
【００１３】
このようなものであれば、解除紐３を先端側へ引っ張ることでこれに繋がった結束紐の長さを短くし、あるいは結束紐１を二つ折れ部１１の側へ引っ張ることで係留体２に係留される結束紐１の長さを短くすることができる。これにより、結束すべき紐の長さを容易に調節することのできる結束具が提供される。
【００１４】
（３）前記いずれか記載の結束具によって対象物を結束した結束状態において、結束紐１は、対象物Ｏを一周又は複数周巻回した後、二つ折れ部１１によって係留体２を囲い、結束紐１１の留め口２１からの突出部を緊締すると共に、この二つ折れ部１１の片側部分である押さえ紐１１ｐによって、対象物Ｏとの間に解除紐３を挟み込んでなることが好ましい。
【００１５】
つまり、解除紐３が押さえ紐１１ｐによって、対象物Ｏとの間に挟まれるようにする。これにより、結束状態で押さえ紐１１ｐの緊締によって解除紐３の位置が保持される。また解除時には、解除紐３を持ち上げて係留体２の下半より上方へずらすだけで、係留体２を挟み込んでいた二つ折れ部１１が係留体２上を滑動し、そして係留体２の挟み込み状態が、結束紐１の伸縮力と共に瞬時に解除される。
【００１６】
（４）前記いずれか記載の結束具において、結束紐１は伸長方向及び断面方向に伸縮性を有し、係留孔２ｈ内の部分の紐径１ｗが、引っ張り乃至引っ張り解除によって、係留孔２ｈの孔径２ｄの半分未満乃至孔径２ｄ以上に伸縮可変することが好ましい。
【００１７】
このように引っ張りや引っ張り解除による断面伸縮状態を、係留孔２ｈの孔の大きさと関係付けることで、係留孔２内を通る結束紐１乃至解除紐３の係留孔２部による固定が自動的に行なわれ、長さ調節が容易なものとなる。
【００１８】
（５）本発明の結束具の仮結束方法は、前記いずれか記載の結束具を用いて対象物Ｏを仮結束する仮結束方法であって、
二重にした結束紐１を伸長させ、対象物Ｏに一周又は複数周だけ巻回させる巻回ステップと、
巻回ステップ後の二つ折れ部１１によって係留体２を囲い、結束紐１１の留め口２１からの突出部を二つ折れ部１１によって緊締させる緊締ステップと、
解除紐３を、前記二つ折れ部１１の片側部分である押さえ紐１１ｐによって、対象物Ｏとの間に挟み込む挟み込みステップとを順に有する。
【００１９】
さら挟み込みステップでは解除紐３を中間付近で二つに折って二つ折り部分を形成し、二つ折り部分のみを挟み込むこともできる。
【発明の効果】
【００２０】
伸縮性を有する結束紐が伸長された状態で結束されており、さらに係留体２の排出口から排出された解除紐３を有することで、一手順の操作によって極めて容易に解除することができる。
【発明を実施するための最良の形態】
【００２１】
以下、本発明の最良の形態例を実施例として示す各図と共に説明する。図１ないし図６は実施例１の結束具及び結束方法を示し、図７は実施例２の結束具を示し、図８、図９は、実施例３の結束具及び結束方法を示す。
【００２２】
いずれの実施例も、基本的には二つ折れ部１１を有して二重に伸びた状態で対象物Ｏに巻きついて結束しうる結束紐１と、結束状態で二つ折れ部１１の下に挟まれて収納され、結束を解除するために用いる解除紐３と、これら結束紐１および解除紐３をそれぞれ一方及び他方の半部に固定した係留体２との三構成からなる。
【００２３】
上記のうち結束紐１は、二つ折れ部１１を有して二重に伸びた伸縮紐からなり、二つ折れ部と反対側の２本の紐部分が近接して係留体２に固定される。各実施例では、二つ折れした結束紐１の両端から係留体２に設けられた係留孔２ｈ内を通る。
【００２４】
また上記のうち解除紐３は、結束紐１と繋がって、或いは結束紐１と別体として一又は複数本が係留体２から突出形成される。各実施例では伸縮性を有した結束紐１と同じ伸縮材からなり、係留孔２ｈ内を通った結束紐１の両端から繋がった２本が係留体２の反対側の排出口２３から突出して設けられる。
【００２５】
そして上記のうち係留体２は、片側半部に設けた留め口２１に挿入することで前記結束紐１の２本の端部を収納固定すると共に、留め口２１と反対側の半部にて解除紐３を突出固定する。係留体２の外形として、四角柱、立方体、球などの任意の形状を採用することができる。凸状の曲面や球状の曲面を有すると、その曲面上を結束紐１の二つ折れ部１１が滑動し易いものとなり、結束解除の容易化の機能を果たす。特に暗闇などの視認困難な状況でも解除紐を引っ張るだけで、容易に結束解除することができる。
【００２６】
係留体２の表面には宣伝文字、模様、ロゴなどを付すことで、ノベルティとして使用することができる（図１、図７参照）。また結束対象部を、結束紐１によって複数の巻き数で巻いて結束することで、頭髪束ね具として使用することができ、他に、弁当箱、本などの所定厚みを持った立方体形状の対象物を結束し、或いはルーフキャリヤへの結束固定用として使用することができる。また係留体２としてトンボ玉を使用したり、或いはトンボ玉の代わりに本発明の結束具を使用したりすることもできる。さらに非結束時には輪状の結束紐１を通すことで腕飾り、或いは首飾りとして使用することもできる。
【００２７】
（本発明の結束具による仮結束方法及び解除方法）
本発明の仮結束方法は、上記構成の結束具によって対象物Ｏの周りを緊結結束する方法であって、下記ステップを順に具備する。
・二重にした結束紐１を伸長させ、対象物Ｏに一周又は複数周だけ巻回させる巻回ステップ
・巻回ステップ後の二つ折れ部１１によって係留体２を囲い、結束紐１１の留め口２１からの突出部を二つ折れ部１１によって緊締させる緊締ステップ
・解除紐３を、前記二つ折れ部１１の片側部分である押さえ紐１１ｐによって、対象物Ｏとの間に挟み込む挟み込みステップ
【００２８】
上記挟み込みステップを経ることによって、解除紐３による結束状態の解除がきわめて容易に行なえるものとなる。特に巻回ステップにおいては、結束紐１を対象物Ｏに沿わせ、二つ折れ部１１を上方に突出させた状態として一方の手で固定したまま、他方の手で係留体２を持って結束紐１を引っ張った状態で巻回することが好ましく、次の緊締ステップにおいては、前記他方の手で持った係留体２を巻回後の結束紐１が緊張した状態で、前記固定した二つ折れ部１１内に下方からくぐらせ、続けて挟み込みステップにおいて、係留体２を二つ折れ部にくぐらせた他方の手を、巻回方向と交わる平面視横方向に抜き取ることで、解除紐３が抜き取り方向を先端方向となり、押さえ紐１１ｐと交差する状態で押さえ紐１１ｐに確実に挟み込まれる。
【００２９】
なお、上記挟み込みステップでは解除紐３を中間付近で二つに折って二つ折り部分を形成し、二つ折り部分のみを挟み込むこともできる。以下、各実施例の構成及び使用方法につき詳述する。
【実施例１】
【００３０】
実施例１の結束紐１は伸長方向及び断面方向に伸縮性を有し、係留孔２ｈ内の部分の紐径１ｗが、引っ張り乃至引っ張り解除によって、それぞれ係留孔２ｈの孔径２ｄの半分未満乃至孔径２ｄ以上に伸縮可変する（図２及び図３）。このように、引っ張りの有無によって、係留孔２ｈを挿通した結束紐１の紐径１ｗが変わることで、係留体２への結束紐１の固定が解除されたり固定されたりするため、これを利用して結束紐１の結束長さを容易に調節しうる。つまり引っ張りを解除した解除状態においては、紐径１ｗは係留孔の孔径２ｄよりも大きいため、２本の内通紐部１２は係留孔２ｈ及び隣接する内通紐部１２によって断面が縮小する方向に圧縮され、その弾性反力によって係留体２内に固定され、容易に位置がずれない状態となる（図２）。また長さ方向に引っ張った引っ張り状態においては、引っ張り後の紐径１ｗ´は係留孔の孔径２ｄの半分よりも小さくなるため、２本の内通紐部１２は係留孔２ｈ内を遊挿した状態となり、係留体２内を自由に位置変更しうる状態となる（図３）。内通紐部１２と連なった解除紐３の引っ張り解除状態の紐径３ｗ、引っ張り状態の紐径３ｗ´についても同様である。
【００３１】
また実施例１の係留体２の係留孔２ｈは、孔径２ｄの断面円形孔の両端が、留め口２１側及び排出口２３側にてそれぞれ、外方に向かって滑らかなラッパ状曲面をもって拡径した拡径部２１ｅ，２３ｅとなっている。この係留体２の上下両側の拡径部２１ｅ、２３ｅを弾性材からなる結束紐１及び解除紐３がそれぞれ通ることで、紐の引っ張りを解除した解除状態（図２）において係留体２が上下の紐から斜め方向の弾性反力を受け、係留体２の固定がより確実なものとなる。また留め口２１、排出口２３のそれぞれにおいて、係留孔２ｈはラッパ状曲面にて徐々に拡径するため、内通紐部１２の紐表面が擦過により傷つきにくいものとなっている。
【００３２】
なお実施例１の係留体２は真球からなり、表面には顔を想起させる目鼻模様が付される。また解除紐３の先端付近には係留体２よりも小型の真球からなる貫通留体３２が貫通孔を開けて貫通され、貫通部より先側に解除紐３を結んだ結び部３１が形成される。この結び部３１が解除紐３ないしこれと繋がった結束紐１の抜け止めの役割を果たす。
【００３３】
結束時には図４に示すように、二つ折れ部１１の片側に伸びる結束紐１の挟束部１１ｐが、２本の解除紐３を纏めて上から押さえ、対象物Ｏとの間に挟み込む形となる。挟束部１１ｐは、結束紐１が対象物を巻回することで伸長され、その弾性反力で対象物Ｏを緊束した状態となって、係留体２によって係留される。このため挟束部１１ｐにも強い伸長方向への外力が加わり、それによる伸縮方向への反力によって、解除紐３を上から押さえて締め付けた状態となる（図４）。この状態で、解除紐３は結束紐１の巻回方向に対して平面視にて垂直方向を向いて伸び、この垂直方向部分で挟束部１１ｐによって挟み込まれる。
【００３４】
結束の解除時には図５に示すように、２本の解除紐３を共に掴み、解除紐３の先端を留め口２１の方へ向けて、対象物Ｏから持ち上げる。すると、挟束部１１ｐが対象物Ｏから持ち上がり、それにつられて二つ折り部１１が係留体２上をすべって上方へずれる（図５）。このようにして二つ折り部１１が係留体２の半分よりも上方へずれたとき、二つ折れ部１１付近の結束紐１の弾性反力により二つ折れ部は係留体２の上部を滑って瞬間的に係留解除し、これにより結束が解除される。
【００３５】
このような結束／結束解除によって、例えば図６に示すように対象物Ｏである魚網の手縄Ｎ１を結束するための結束バンドとして用いることができる。網の仕掛け時は夜であり、できるだけ音を立てずに短時間で結ぶことが必要となるが、本発明の結束具はこの用途に適している。このほかに藁束の結束、日用品の結束、一時梱包にも用いることができる。
【実施例２】
【００３６】
図７は実施例２の結束具の、二つ折れ部１１を除く部分の拡大構造説明図である。図７に示す実施例２の係留体２は円柱の両先端に半球が一体的に付された長円球からなり、表面には会社名、電話番号等の広告情報が記載される。
【００３７】
係留孔２ｈは、図７の一部断面で示すように、少なくとも排出口２３側の端部において、周縁全体が孔内側へ突出した縮径部２１ｔを有し、また結束紐１の両端部のうち係留孔２ｈへの挿入部分または解除紐３のうち係留孔２ｈへの挿入部分付近において、外径側へ段状に膨出した膨出段部３４を長さ方向へ連続的に複数有する。これにより、紐長さ方向に連続する膨出段部３４間の谷部に縮径部２１ｔが入り込み、結束紐１、内通紐１２ないし解除紐３に対して係留体２の位置が固定される。
【００３８】
縮径部２１ｔは孔円周の一部から内側へ突出する突出片からなるものでも良い。また膨出段部３４は紐の編み込みによって形成されるものでも良い。
【００３９】
また実施例２の解除紐３の先端は靴の形を模した先端留体３３によって嵌入固定され、この先端留体３３が紐の抜け止めの役割を果たす。その他特記しない構成や仮結束方法／結束解除方法は実施例１と同様である。
【実施例３】
【００４０】
実施例３の係留体２は、図８、９に示すように、一外周方向に円形に突出した境界部２ｅを境とし、上方の留め口２１に向けてすぼまる円錐状の上半部２Ｔと、下方の排出口２３を下頂部とする半球状の下半部２Ｂとから一体的に構成される。このように、係留体２の留め口２１側の半部の外形を留め口２１に向けて一定の割合で直線的に縮径させ、これと反対側の排出口２３側の半部の外形を排出口２３に向けて球面状に緩やかに縮径させることで、解除紐３が結束時には容易に解除しにくく、解除操作時には容易に解除するものとなる。すなわち図９に示すように、結束状態においては、排出口２３から突出した解除紐３が、係留体２の境界部２ｅで一旦係留体２側に折り込まれた上で挟束部１１ｐに挟束される。また二つ折れ部１１も、細首状の上半部２Ｔによって二つ折れした二本の結束紐１同士が狭い間隔で巻回され、挟束部１１ｐの位置が、係留体１の中心軸側すなわち係留孔２ｈの孔軸側に近い位置となる。このため巻回方向のより中心に近い部分で、解除紐３が境界部２ｅと挟束部１１ｐとの２箇所で挟まれ、これにより容易に解除しにくい結束状態となる。
【００４１】
また結束時の緊締ステップにおいて、上半部２Ｔが部分円錐からなるため、係留体２の境界部２ｅを二つ折れ部１１にくぐらせるだけで、巻回ステップで伸長し緊張した結束紐１１によって、二つ折れ部１１が、係留体２の上半部２Ｔ上を留め口２１方向へ滑り、留め口２１からの突出部を二つ折れ部１１によって容易に緊締させることができる。
さらに解除紐３が不要に持ち上がった場合でも、上半部２Ｔ上を留め口２１側から境界部２ｅ側へ滑動した二つ折れ部１１は、境界部２ｅによる引っ掛りの最頂部を超えることができず、不要な解除を防止しうる。
【００４２】
また解除操作時には、先ず２本の解除紐３を束ねて持ち上げることで、二つ折れ部１１は上半部２Ｔ上を留め口２１側から境界部２ｅ側へ容易に滑動する。この境界部２ｅ付近まで滑動させた二つ折れ部１１は、最頂部である境界部２ｅで一旦引っ掛かるため、次に境界部２ｅを超えるように解除紐３を引き上げるだけで、境界部２ｅによる引っ掛りの最頂部を超え、その途端、下半部２Ｂの半球の緩曲面上をすべることで、結束は極めて迅速に解除される。このように意図的な解除操作によって容易に結束解除することができる。
【００４３】
なお解除紐３の先端は非弾性状態に固化された固化部３５となっており、径方向に圧縮しないことで紐の抜け止めの役割を果たす。その他特記しない構成や仮結束方法／結束解除方法は実施例１と同様である。
【００４４】
その他本発明は上述した実施例に限定されず、本発明の趣旨を逸脱しない程度で種々の変形、要素組み合わせ、要素の抽出が可能である。例えば実施例１の拡径部２１ｅ、２３ｅに代えて実施例２の縮径部２１ｔ、２３ｔを採用してもよい。他に例えば、実施例２に挙げる膨出段部３４を、結束紐１のうち係留孔２ｈ内を通る内通紐部１２にのみに適用してもよいし、実施例２のように結束紐１、内通紐部１２、解除紐３の全体に適用してもよい。また本発明の仮結束方法は、結束具の大きさを適宜設定して使用することで、キャリアーへの荷物の固定など、様々な結束用途に用いることが出来る。
【図面の簡単な説明】
【００４５】
【図１】本発明の実施例１の仮結束具１０の正面図。
【図２】図１の仮結束具１０の係留体２付近の拡大断面説明図。
【図３】結束紐１１を伸張した状態の図２の係留体２付近の断面説明図。
【図４】実施例１の仮結束具１０による仮結束状態の斜視説明図。
【図５】実施例１の仮結束具１０による仮結束解除状態の説明図。
【図６】実施例１の仮結束具１０の使用状態説明図。
【図７】本発明の実施例２の仮結束具１０の正面視部分説明図。
【図８】本発明の実施例３の仮結束具１０の正面視部分説明図。
【図９】実施例３の仮結束具１０による仮結束状態の斜視説明図。
【符号の説明】
【００４６】
１０  仮結束具
１  結束紐
１１  二つ折れ部
１１ｐ  挟束部
１２  内通紐部
１ｗ、１ｗ´  紐幅
２  係留体
２Ｔ  上半部
２Ｂ  下半部
２ｅ  境界部
２ｈ  係留孔
２１  留め口
２１ｅ  拡径部
２１ｔ  縮径部
２３  排出口
２３ｅ  拡径部
２３ｔ  縮径部
３  解除紐
３ｗ、３ｗ´  紐幅
３１  結び部
３２  貫通留体
３３  先端留体
３４  膨出段部
３５  先端固化部
Ｎ１  手縄
Ｏ  対象物
【図１】
2010094244.tif 000003
【図２】
2010094244.tif 000004
【図３】
2010094244.tif 000005
【図４】
2010094244.tif 000006
【図５】
2010094244.tif 000007
【図６】
2010094244.tif 000008
【図７】
2010094244.tif 000009
【図８】
2010094244.tif 000010
【図９】
2010094244.tif 000011